(57)【要約】【課題】避難時には容易に通り抜け可能でありつつ、プライバシーを確保して不審者の侵入を防止できる隔壁構造を低コストで提供すること。【解決手段】隔壁構造１は、ベランダ１０を所定位置で仕切るものである。この隔壁構造１は、破壊可能な隔て板２０と、ベランダ１０に設けられて隔て板２０の周縁部を支持する支持枠３０と、この支持枠３０に着脱可能に設けられて隔て板２０を両面から挟み込む一対の押さえ部材４０Ａ、４０Ｂと、を備える。【選択図】図２
2015007366.tif 000002
【特許請求の範囲】
【請求項１】
ベランダを所定位置で仕切る隔壁の構造であって、
破壊可能な隔て板と、
前記ベランダに設けられて前記隔て板の周縁部を支持する支持枠と、
当該支持枠に着脱可能に設けられて前記隔て板を両面から挟み込む一対の押さえ部材と、を備えることを特徴とする隔壁構造。
【請求項２】
前記一対の押さえ部材は、それぞれ、所定長さの棒状の本体と、当該本体の両端部から延びて前記支持枠の両側面に至る一対の延出部と、を備え、
前記支持枠には、前記押さえ部材の本体が上方から挿入されて係止可能な押さえ部材受けが設けられることを特徴とする請求項１に記載の隔壁構造。
【請求項３】
前記一対の押さえ部材は、それぞれ、所定長さの棒状であり、
前記支持枠には、前記押さえ部材が載置される押さえ部材受けが設けられ、
当該押さえ部材受けに前記一対の押さえ部材が載置された状態で、当該一対の押さえ部材の端部を挟持する一対の保持部材をさらに備えることを特徴とする請求項１に記載の隔壁構造。
【請求項４】
前記隔て板は、前記押さえ部材が取り付けられる高さ位置で上下に分割されるとともに、前記一対の押さえ部材は、当該分割した隔て板を挟持することを特徴とする請求項１から３のいずれかに記載の隔壁構造。
【請求項５】
前記隔て板の前記押さえ部材が取り付けられる高さ位置には、開口が形成されていることを特徴とする請求項１から３のいずれかに記載の隔壁構造。
【請求項６】
ベランダを所定位置で仕切る隔壁の構造であって、
破壊可能で上下に複数に分割された隔て板と、
前記ベランダに設けられて前記隔て板の周縁部を支持する支持枠と、
略水平に延びてかつ当該支持枠に着脱可能に設けられて前記分割された上下の隔て板を押さえる押さえ部材と、を備え、
前記押さえ部材と前記支持枠とは、略コの字形状の連結部材が係止することで連結されることを特徴とする隔壁構造。
【発明の詳細な説明】
【技術分野】
【０００１】
本発明は、例えば、集合住宅のベランダを仕切る隔壁の構造に関する。
【背景技術】
【０００２】
従来より、集合住宅では、水平方向に延びるベランダを構築し、このベランダの隣り合う住戸の境界部分に、各住戸のベランダを仕切る隔壁を設ける場合がある。
【０００３】
この隔壁を設ける理由は、以下の通りである。すなわち、隣接する住戸同士のベランダ境界を明確にし、隣接する住戸の住民の視線を遮ってプライバシーを確保するとともに、ベランダを通って不審者が自宅に侵入することを防止するためである。
【０００４】
この目的を達成するために、隔壁は、例えば、素手で破壊可能なフレキシブルボードと、ベランダ床に設けられてこのフレキシブルボードの周縁部を支持する支持枠と、を備える構造である。
このフレキシブルボードは、強風のような自然現象により容易に破壊されないが、避難者が避難する際には、避難者の素手により容易に破壊される程度の強度である。
【０００５】
このような隔壁によれば、このフレキシブルボードにより、隣人の視線を遮ってプライバシーを確保するとともに、不審者の侵入を防ぐ。また、フレキシブルボードは、避難者の避難時には、素手により容易に破壊されて通り抜け可能となり、避難路となる。
【０００６】
しかしながら、近年、集合住宅の高層化が進められており、高層階のベランダでは、隔て板にかなりの強風が吹き付ける場合がある。このような場合、風圧でフレキシブルボードが破壊されるおそれがあった。
【０００７】
この問題を解決するため、フレキシブルボードを厚くしたり、フレキシブルボードを複数に分割して、各ボード１枚当たりの周縁部の長さつまり支持枠に支持される長さを長くしたりして、ボードの強度を向上させることが提案されている。
しかしながら、フレキシブルボードを厚くすると、避難者がボードを容易に破壊できない場合がある。また、フレキシブルボードを複数に分割して支持枠に支持される長さを長くすると、避難者が通り抜け可能な開口を確保できない場合がある。
【０００８】
そこで、ボードを複数に分割し、ボードの一部を開閉可能な扉として、この扉を施錠することが提案されている（特許文献１参照）。このようにすれば、避難者が扉を解錠することで、ベランダを避難路として利用できる。
【先行技術文献】
【特許文献】
【０００９】
【特許文献１】特開２０１１−１７４３０８号公報
【発明の概要】
【発明が解決しようとする課題】
【００１０】
しかしながら、この特許文献１に示す構造では、地震や火災などの非常時には、扉を直ちに開放する必要があるため、実際には、この扉を施錠することはできない。その結果、プライバシーの確保や不審者の侵入防止が困難となる場合があった。
また、隔壁の一部を扉構造とするために、支持枠を二重にしたり、開閉機構を設置したりする必要があるため、製作コストが上昇する、という問題があった。
【００１１】
本発明は、避難時には容易に通り抜け可能でありつつ、プライバシーを確保して不審者の侵入を防止できる隔壁構造を低コストで提供することを目的とする。
【課題を解決するための手段】
【００１２】
請求項１に記載の隔壁構造（例えば、後述の隔壁構造１、１Ａ）は、ベランダ（例えば、後述のベランダ１０）を所定位置で仕切る隔壁の構造であって、破壊可能な隔て板（例えば、後述の隔て板２０）と、前記ベランダに設けられて前記隔て板の周縁部を支持する支持枠（例えば、後述の支持枠３０）と、当該支持枠に着脱可能に設けられて前記隔て板を両面から挟み込む一対の押さえ部材（例えば、後述の押さえ部材４０Ａ、４０Ｂ、５０Ａ、５０Ｂ）と、を備えることを特徴とする。
【００１３】
この発明によれば、一対の押さえ部材を支持枠に取り付けることで、これら一対の押さえ部材で隔て板を挟み込んで、隔て板を補強する。これにより、プライバシーを確保するとともに、不審者の侵入を防止できる。また、隔て板に強風が吹き付けても、この隔て板は押さえ部材を介して支持枠に支持されるので、この強風により隔て板が破壊されるのを防止できる。
【００１４】
言い換えると、隔て板を全周に沿って支持枠で支持するとともに、桟木に相当する支持枠および押さえ部材により、隔て板を小領域毎に分割して支持する。これにより、隔て板が面外方向に荷重を受けた際の破壊強度を増大させることができる。
【００１５】
また、従来の隔壁に比べて簡易な構造となるので、隔壁の製作コストを低減できる。
また、避難者が避難する緊急時には、避難者は、これら一対の押さえ部材を支持枠から取り外し、その後、隔て板を素手で破壊して通り抜ける。このようにして、ベランダを避難路として確保する。
【００１６】
請求項２に記載の隔壁構造は、前記一対の押さえ部材は、それぞれ、所定長さの棒状の本体（例えば、後述の本体４１）と、当該本体の両端部から延びて前記支持枠の両側面に至る一対の延出部（例えば、後述の延出部４２）と、を備え、前記支持枠には、前記押さえ部材の本体が上方から挿入されて係止可能な押さえ部材受け（例えば、後述の押さえ部材受け３３）が設けられることを特徴とする。
【００１７】
この発明によれば、押さえ部材を上方から押さえ部材受けに挿入することで、押さえ部材を容易に支持枠に取り付けることができる。
また、避難者が避難する際、避難者は、隔て板よりも手前側の押さえ部材については、本体を把持することで、押さえ部材受けから取り外し、隔て板を挟んで反対側の押さえ部材については、延出部を把持することで、押さえ部材受けから取り外す。このように、避難者は、押さえ部材を容易に取り外すことができる。
【００１８】
請求項３に記載の隔壁構造は、前記一対の押さえ部材（例えば、後述の押さえ部材５０Ａ、５０Ｂ）は、それぞれ、所定長さの棒状であり、前記支持枠には、前記押さえ部材が載置される押さえ部材受け（例えば、後述の押さえ部材受け３３）が設けられ、当該押さえ部材受けに前記一対の押さえ部材が載置された状態で、当該一対の押さえ部材の端部を挟持する一対の保持部材（例えば、後述の保持部材５１）をさらに備えることを特徴とする。
【００１９】
この発明によれば、保持部材で押さえ部材の両端部を挟持したので、強風により押さえ部材が押さえ部材受けから脱落するのを防止できる。
また、一対の押さえ部材を押さえ部材受けに載せて、この状態で、これら押さえ部材の両端部に一対の保持部材を嵌め込むだけで、押さえ部材を容易に支持枠に取り付けることができる。
【００２０】
また、避難者が避難する際、避難者は、一対の保持部材を上下にずらして、隔て板よりも手前側の押さえ部材については、手前に引いて押さえ部材受けから取り外し、隔て板を挟んで反対側の押さえ部材については、隔て板に破壊する衝撃を与えることで、押さえ部材受けから落下させる。このように、避難者は、押さえ部材を容易に取り外すことができる。
【００２１】
請求項４に記載の隔壁構造は、前記隔て板は、前記押さえ部材が取り付けられる高さ位置で上下に分割されるとともに、前記一対の押さえ部材は、当該分割した隔て板を挟持することを特徴とする。
【００２２】
この発明によれば、隔て板を分割したので、避難者が隔て板を破壊しやすくなる。また、このように隔て板を分割しても、押さえ部材により分割した隔て板の周縁部を押さえて、桟木に相当する支持枠および押さえ部材により、隔て板を小領域毎に支持することで、強風により隔て板が破壊されるのを防止できる。
【００２３】
請求項５に記載の隔壁構造は、前記隔て板の前記押さえ部材が取り付けられる高さ位置には、開口（例えば、後述の開口２２）が形成されていることを特徴とする。
【００２４】
この発明によれば、隔て板に開口を形成したので、避難者が、この開口を通して隔て板を挟んで反対側の押さえ部材に手を伸ばして、この押さえ部材を容易に取り外すことができる。
【００２５】
請求項６に記載の隔壁構造（例えば、後述の隔壁構造１Ｂ、１Ｃ、１Ｄ）は、ベランダ（例えば、後述のベランダ１０）を所定位置で仕切る隔壁の構造であって、破壊可能で上下に複数に分割された隔て板（例えば、後述の隔て板２０）と、前記ベランダに設けられて前記隔て板の周縁部を支持する支持枠（例えば、後述の支持枠３０）と、略水平に延びてかつ当該支持枠に着脱可能に設けられて前記分割された上下の隔て板を押さえる押さえ部材（例えば、後述の補強部材６０）と、を備え、前記押さえ部材と前記支持枠とは、略コの字形状の連結部材（例えば、後述の７０、８０）が係止することで連結されることを特徴とする。
【００２６】
この発明によれば、請求項１および請求項４と同様の効果がある。
【発明の効果】
【００２７】
本発明によれば、一対の押さえ部材を支持枠に取り付けることで、これら一対の押さえ部材で隔て板を挟み込んで、隔て板を補強する。これにより、プライバシーを確保するとともに、不審者の侵入を防止できる。また、隔て板に強風が吹き付けても、この隔て板は押さえ部材を介して支持枠に支持されるので、この強風により隔て板が破壊されるのを防止できる。言い換えると、隔て板を全周に沿って支持枠で支持するとともに、桟木に相当する支持枠および押さえ部材により、隔て板を小領域毎に分割して支持する。これにより、隔て板が面外方向に荷重を受けた際の破壊強度を増大させることができる。また、従来の隔壁に比べて簡易な構造となるので、隔壁の製作コストを低減できる。また、避難者が避難する緊急時には、避難者は、これら一対の押さえ部材を支持枠から取り外し、その後、隔て板を素手で破壊して通り抜ける。このようにして、ベランダを避難路として確保する。
【図面の簡単な説明】
【００２８】
【図１】本発明の第１実施形態に係る隔壁構造の正面図である。
【図２】前記実施形態に係る隔壁構造の部分拡大図、Ａ−Ａ断面図、およびＢ−Ｂ断面図である。
【図３】前記実施形態に係る隔壁構造の押さえ部材を支持枠から取り外す手順を説明するための図である。
【図４】本発明の第２実施形態に係る隔壁構造の部分拡大図、Ｃ−Ｃ断面図、およびＤ−Ｄ断面図である。
【図５】前記実施形態に係る隔壁構造の押さえ部材を支持枠から取り外す手順を説明するための図である。
【図６】本発明の第３実施形態に係る隔壁構造の部分拡大図、Ｅ−Ｅ断面図、およびＦ−Ｆ断面図である。
【図７】本発明の第４実施形態に係る隔壁構造の部分拡大図、Ｇ−Ｇ断面図、およびＨ−Ｈ断面図である。
【図８】本発明の第５実施形態に係る隔壁構造の部分拡大図、Ｉ−Ｉ断面図、およびＪ−Ｊ断面図である。
【図９】本発明の第１の変形例に係る隔壁構造の隔て板の正面図である。
【図１０】本発明の第２の変形例に係る隔壁構造の隔て板の正面図である。
【発明を実施するための形態】
【００２９】
以下、本発明の実施形態を図面に基づいて説明する。なお、以下の実施形態の説明にあたって、同一構成要件については同一符号を付し、その説明を省略もしくは簡略化する。
〔第１実施形態〕
図１は、本発明の第１実施形態に係る隔壁構造１の正面図である。
隔壁構造１は、集合住宅２のベランダ１０を、隣り合う住戸の境界部分で仕切るものである。
【００３０】
このベランダ１０は、集合住宅２の外壁３から水平方向に突出して設けられて複数の住戸に跨って延びるベランダ床１１と、このベランダ床１１の先端部に沿って設けられた手摺１２と、を備える。
また、ベランダ床１１のうち隣り合う住戸の境界部分には、当階のベランダ床１１から上階のベランダ床１１に至る支柱１３が設けられている。
【００３１】
この隔壁構造１は、素手で破壊可能な一枚の隔て板２０と、ベランダ床１１に設けられて隔て板２０の周縁部を支持する支持枠３０と、この支持枠３０に着脱可能に設けられて隔て板２０を両面から挟み込む３つの補強部材４０と、を備える。
【００３２】
支持枠３０は、矩形枠状であり、水平方向に延びる上下一対の横枠３１と、上下方向に延びてこれら横枠３１の両端部同士を連結する一対の縦枠３２と、を備える。
この支持枠３０の下側の横枠３１は、ベランダ床１１に固定され、支持枠３０の外側の縦枠３２は、支柱１３に固定され、内側の縦枠３２は、集合住宅２の外壁３に固定される。
【００３３】
図２は、隔壁構造１の部分拡大図、Ａ−Ａ断面図、およびＢ−Ｂ断面図である。
各補強部材４０は、上下方向に所定間隔おきに設けられており、一対の押さえ部材４０Ａ、４０Ｂ、つまり、隔て板２０よりも手前側に位置する押さえ部材４０Ａと、隔て板２０を挟んで押さえ部材４０Ａの反対側（奥側）に位置する押さえ部材４０Ｂと、を含んで構成される。
【００３４】
一対の押さえ部材４０Ａ、４０Ｂは、それぞれ、略水平に延びる所定長さの棒状の本体４１と、この本体４１から延びて支持枠３０の両側面に至る一対の延出部４２と、を備える。
ここで、押さえ部材４０Ａの延出部４２は、コの字形状であり、本体４１の両端部から縦枠３２を囲むように斜め下方に延びている。一方、押さえ部材４０Ｂの延出部４２は、コの字形状であり、本体４１の両端部から縦枠３２を囲むように斜め上方に延びている。
【００３５】
この支持枠３０の正面側および背面側には、それぞれ、上方が開放された略Ｕ字形状の一対の押さえ部材受け３３が設けられている。具体的には、一対の押さえ部材受け３３は、それぞれ、内側および外側の縦枠３２に設けられる。
一対の押さえ部材４０Ａ、４０Ｂは、これら押さえ部材受け３３に上方から挿入されて係止されている。
【００３６】
以上の隔壁構造１では、図３に示すように、押さえ部材４０Ａ、４０Ｂを押さえ部材受け３３に上方から挿入することで、押さえ部材４０Ａ、４０Ｂを支持枠３０に取り付けることができる。これにより、隔て板２０を両面から挟み込んで、隔て板２０を補強できる。
【００３７】
本実施形態によれば、以下のような効果がある。
（１）一対の押さえ部材４０Ａ、４０Ｂを支持枠３０に取り付けることで、これら一対の押さえ部材４０Ａ、４０Ｂで隔て板２０を挟み込んで、隔て板２０を補強する。これにより、プライバシーを確保するとともに、不審者の侵入を防止できる。また、隔て板２０に強風が吹き付けても、この隔て板２０は押さえ部材４０Ａ、４０Ｂを介して支持枠３０に支持されるので、この強風により隔て板２０が破壊されるのを防止できる。
【００３８】
言い換えると、隔て板２０を全周に沿って支持枠３０で支持するとともに、桟木に相当する支持枠３０および押さえ部材４０Ａ、４０Ｂにより、隔て板２０を小領域毎に分割して支持する。これにより、隔て板２０が面外方向に荷重を受けた際の破壊強度を増大させることができる。
【００３９】
また、従来の隔壁に比べて簡易な構造となるので、隔壁構造１の製作コストを低減できる。
また、避難者が避難する緊急時には、避難者は、これら一対の押さえ部材４０Ａ、４０Ｂを支持枠３０から取り外し、その後、隔て板２０を素手で破壊して通り抜ける。このようにして、ベランダ１０を避難路として確保する。
【００４０】
（２）押さえ部材受け３３を上方が開放された略Ｕ字形状としたので、押さえ部材４０Ａ、４０Ｂを上方から押さえ部材受け３３に挿入することで、押さえ部材４０Ａ、４０Ｂを容易に支持枠３０に取り付けることができる。
また、避難者が避難する際、避難者は、隔て板２０よりも手前側の押さえ部材４０Ａについては、本体４１を把持することで、押さえ部材受け３３から取り外し、隔て板２０を挟んで反対側の押さえ部材４０Ｂについては、延出部４２を把持することで、押さえ部材受け３３から取り外す。このように、避難者は、押さえ部材４０Ａ、４０Ｂを容易に取り外すことができる。
【００４１】
〔第２実施形態〕
図４は、本発明の第２実施形態に係る隔壁構造１Ａの部分拡大図、Ｃ−Ｃ断面図、およびＤ−Ｄ断面図である。
本実施形態では、補強部材５０の構造が、第１実施形態と異なる。
すなわち、補強部材５０は、一対の押さえ部材５０Ａ、５０Ｂと、これら一対の押さえ部材５０Ａ、５０Ｂの両端部を挟持する一対の保持部材５１と、を含んで構成される。
押さえ部材５０Ａ、５０Ｂは、それぞれ、略水平に延びる所定長さの棒状であり、第１実施形態のような延出部４２が設けられていない。
【００４２】
また、一対の押さえ部材受け３３は、水平に延びる板状であり、押さえ部材５０Ａ、５０Ｂは、これら一対の押さえ部材受け３３に載置される。
また、支持枠３０の一対の縦枠３２には、それぞれ、保持部材５１を載せるための保持部材受け３４が設けられる。
【００４３】
一対の保持部材５１は、断面略コの字形状であり、押さえ部材受け３３に一対の押さえ部材５０Ａ、５０Ｂが載置された状態で、これら一対の押さえ部材５０Ａ、５０Ｂの両端部に嵌め込まれて、保持部材受け３４上に載置される。このようにして、一対の保持部材５１は、一対の押さえ部材５０Ａ、５０Ｂの両端部を挟持する。
【００４４】
以上の隔壁構造１では、図５に示すように、一対の保持部材５１を支持枠３０に嵌め込んで、保持部材受け３４から上方にずらしておき、この状態で、押さえ部材５０Ａ、５０Ｂを押さえ部材受け３３に載せる。その後、一対の保持部材５１を下方に移動して保持部材受け３４上に載置する。これにより、押さえ部材５０Ａ、５０Ｂの両端部に一対の保持部材５１が嵌め込まれて、押さえ部材５０Ａ、５０Ｂを支持枠３０に取り付けることができる。これにより、隔て板２０を両面から挟み込んで、隔て板２０を補強できる。
【００４５】
本実施形態によれば、上述の（１）の効果に加えて、以下のような効果がある。
（３）保持部材５１で押さえ部材５０Ａ、５０Ｂの両端部を挟持したので、強風により押さえ部材５０Ａ、５０Ｂが押さえ部材受け３３から脱落するのを防止できる。
また、一対の押さえ部材５０Ａ、５０Ｂを押さえ部材受け３３に載せて、この状態で、これら押さえ部材５０Ａ、５０Ｂの両端部に一対の保持部材５１を嵌め込むだけで、押さえ部材５０Ａ、５０Ｂを容易に支持枠３０に取り付けることができる。
【００４６】
また、避難者が避難する際、避難者は、図５に示すように、一対の保持部材５１を上方にずらして、隔て板２０よりも手前側の押さえ部材５０Ａについては、手前に引いて押さえ部材受け３３から取り外し、隔て板２０を挟んで反対側の押さえ部材５０Ｂについては、隔て板２０に破壊する衝撃を与えることで、押さえ部材受け３３から落下させる。このように、避難者は、押さえ部材５０Ａ、５０Ｂを容易に取り外すことができる。
【００４７】
〔第３実施形態〕
図６は、本発明の第３実施形態に係る隔壁構造１Ｂの部分拡大図、Ｅ−Ｅ断面図、およびＦ−Ｆ断面図である。
本実施形態では、押さえ部材としての補強部材６０の構造が、第１実施形態と異なる。
【００４８】
すなわち、補強部材６０は、略水平に延びる所定長さの棒状である。
隔て板２０は、補強部材６０が取り付けられる高さ位置で上下に分割されて、複数枚の小さな小割り板２０Ａで構成されており、補強部材６０は、上下の分割した隔て板２０つまり小割り板２０Ａを押さえている。
【００４９】
補強部材６０と支持枠３０とは、略コの字形状の連結部材７０で連結される。
具体的には、補強部材６０の支持枠３０の縦枠３２との接合面には、貫通孔６１が形成されており、縦枠３２の補強部材６０との接合面には、貫通孔３５が形成されている。図６中矢印で示すように、縦枠３２の側方から連結部材７０の先端側を挿入して、この連結部材７０の先端側を貫通孔３５、６１に挿通することで、連結部材７０が縦枠３２および補強部材６０に係止して閂として機能し、補強部材６０と支持枠３０とが連結される。
【００５０】
本実施形態によれば、上述の（１）に加えて、以下のような効果がある。
（４）隔て板２０を複数の小割り板２０Ａに分割したので、避難者が小割り板２０Ａを破壊しやすくなる。また、このように隔て板２０を分割しても、補強部材６０により小割り板２０Ａの周縁部を押さえて、桟木に相当する支持枠３０および補強部材６０により、隔て板２０を小領域となる小割り板２０Ａ毎に支持する。よって、強風により小割り板２０Ａが破壊されるのを防止できる。
【００５１】
〔第４実施形態〕
図７は、本発明の第４実施形態に係る隔壁構造１Ｃの部分拡大図、Ｇ−Ｇ断面図、およびＨ−Ｈ断面図である。
本実施形態では、連結部材８０の構造が第３実施形態と異なる。
【００５２】
すなわち、補強部材６０の内部には、補強部材６０と支持枠３０とを連結する略コの字形状の連結部材８０が収納されている。
具体的には、補強部材６０の支持枠３０の縦枠３２との接合面には、貫通孔６１が形成されており、縦枠３２の補強部材６０との接合面には、貫通孔３５が形成されている。また、補強部材６０の両側面には、補強部材の長さ方向に延びる一対の長孔６２が形成されている。
連結部材８０には、側方に突出する一対のつまみ８１が設けられおり、これら一対のつまみ８１は、一対の長孔６２を貫通して外部に突出している。
【００５３】
図７中矢印で示すように、一対のつまみ８１を操作して一対の長孔６２に沿ってスライドさせることで、連結部材８０が移動し、この連結部材８０の先端側が貫通孔３５、６１に挿通される。これにより、連結部材８０が縦枠３２および補強部材６０に係止して閂として機能し、補強部材６０と支持枠３０とが連結される。
【００５４】
本実施形態によれば、上述の（１）、（４）と同様の効果がある。
【００５５】
〔第５実施形態〕
図８は、本発明の第５実施形態に係る隔壁構造１Ｄの部分拡大図、Ｉ−Ｉ断面図、およびＪ−Ｊ断面図である。
本実施形態では、補強部材６０の構造が、第４実施形態と異なる。
【００５６】
すなわち、補強部材６０は、長さ方向に２つの補強部材６０Ａ、６０Ｂに分割可能であり、分割された２つの補強部材６０Ａ、６０Ｂ同士は、連結部材８０と同様の構造を有する連結部材９０で連結されている。
具体的には、補強部材６０Ａの補強部材６０Ｂとの接合面には、貫通孔６３が形成されており、補強部材６０Ｂの補強部材６０Ａとの接合面には、貫通孔６４が形成されている。また、補強部材６０Ａの両側面には、補強部材の長さ方向に延びる一対の長孔６５が形成されている。
【００５７】
連結部材９０は、補強部材６０Ａの内部に収納されている。
この連結部材９０には、一対のつまみ９１が設けられており、これら一対のつまみ９１は、一対の長孔６５を貫通して外部に突出している。
【００５８】
図８中矢印で示すように、一対のつまみ９１を操作して一対の長孔６２に沿ってスライドさせることで、連結部材９０が移動し、この連結部材９０の先端側が貫通孔３５、６１に挿通される。これにより、連結部材９０が補強部材６０Ａ、６０Ｂに係止して閂として機能し、補強部材６０と支持枠３０とが連結される。
【００５９】
本実施形態によれば、上述の（１）、（４）と同様の効果がある。
【００６０】
なお、本発明は前記実施形態に限定されるものではなく、本発明の目的を達成できる範囲での変形、改良等は本発明に含まれるものである。
例えば、上述の第１、第２実施形態では、隔て板２０を一枚としたが、これに限らず、図９に示すように、押さえ部材４０Ａ、４０Ｂ、５０Ａ、５０Ｂが取り付けられる高さ位置で上下に分割して、複数枚の小さな小割り板２０Ａで構成し、押さえ部材４０Ａ、４０Ｂ、５０Ａ、５０Ｂにより、分割した隔て板２０つまり小割り板２０Ａ同士の境界部分を挟持してもよい。この場合、小割り板２０Ａ同士の間に、スペーサ２１を設けてもよい。
このようにすれば、上述の（４）と同様の効果がある。
【００６１】
また、図１０に示すように、隔て板２０の押さえ部材４０Ａ、４０Ｂ、５０Ａ、５０Ｂが取り付けられる高さ位置に、一対の開口２２を形成してもよい。
【００６２】
このようにすれば、以下のような効果がある。
（５）隔て板２０に開口２２を形成したので、避難者が、この開口２２を通して隔て板２０を挟んで反対側の押さえ部材４０Ｂ、５０Ｂに手を伸ばして、この押さえ部材４０Ｂ、５０Ｂを容易に取り外すことができる。
【００６３】
また、上述の第５実施形態では、補強部材６０と支持枠３０とを連結部材８０で連結したが、これに限らず、補強部材６０と支持枠３０とを連結部材７０で連結してもよい。
【符号の説明】
【００６４】
１、１Ａ、１Ｂ、１Ｃ、１Ｄ…隔壁構造
２…集合住宅
３…外壁
１０…ベランダ
１１…ベランダ床
１２…手摺
１３…支柱
２０…隔て板
２０Ａ…小割り板
２１…スペーサ
２２…開口
３０…支持枠
３１…横枠
３２…縦枠
３３…押さえ部材受け
３４…保持部材受け
３５…貫通孔
４０、５０…補強部材
４０Ａ、４０Ｂ…押さえ部材
４１…本体
４２…延出部
５０Ａ、５０Ｂ…押さえ部材
５１…保持部材
６０、６０Ａ、６０Ｂ…補強部材
６１、６３、６４…貫通孔
６２、６５…長孔
７０、８０、９０…連結部材
８１、９１…つまみ
【図１】
2015007366.tif 000003
【図２】
2015007366.tif 000004
【図３】
2015007366.tif 000005
【図４】
2015007366.tif 000006
【図５】
2015007366.tif 000007
【図６】
2015007366.tif 000008
【図７】
2015007366.tif 000009
【図８】
2015007366.tif 000010
【図９】
2015007366.tif 000011
【図１０】
2015007366.tif 000012